(57)【特許請求の範囲】
【請求項１】
ＬＣＤモジュールと、前記ＬＣＤモジュールを駆動するＬＣＤコントローラからなるＬＣＤ駆動システムであって、
所定数の色成分を含む表示データを色成分毎に分割し、この分割された各色成分の表示データを順番かつ所定の周期で周期的に転送するシリアル転送手段と、
前記シリアル転送手段により分割して順番に転送される表示データを、立ち上がりエッジと立ち下がりエッジで交互にサンプリングするための駆動クロックであって、前記所定の周期×２の周期の駆動クロックを転送する駆動クロック転送手段と、
前記シリアル転送手段により分割して転送された前記所定数の色成分の表示データを前記駆動クロック転送手段により転送された駆動クロックによりサンプリングするとともに、立ち上がりエッジでサンプリングされた前記所定数の色成分の表示データのタイミングを揃えるとともに、立ち下がりエッジでサンプリングされた前記所定数の色成分の表示データのタイミングを揃えて、少なくとも前記所定の周期×所定数の周期が到達するまでの間保持する保持手段と、
前記シリアル転送手段により分割して転送され、前記保持手段により立ち上がりエッジでサンプリングされるとともにタイミングを揃えて保持された前記所定数の色成分の表示データと、立ち下がりエッジでサンプリングされるとともにタイミングを揃えて保持された前記所定数の色成分の表示データのそれぞれを前記所定の周期×所定数の周期で同時にサンプリングすることで、前記シリアル転送手段により色成分毎に分割して順番に転送された表示データを色成分毎に分割される前の表示データに変換する変換手段と、
を備えることを特徴とするＬＣＤデータ転送システム。
【請求項２】
前記表示データは、３つの色成分を含み、
前記保持手段は、前記シリアル転送手段により転送された３つの色成分の表示データを、前記駆動クロックの立ち上がりエッジと立ち下がりエッジの両方を用いて、それぞれのエッジでサンプリングされる表示データのタイミングを揃えて、前記所定の周期×３の周期が到達するまでの間、同時に保持し、
前記変換手段は、前記保持手段により立ち上がりエッジでサンプリングされるとともにタイミングを揃えて保持された前記３つの色成分の表示データと、立ち下がりエッジでサンプリングされるとともにタイミングを揃えて保持された前記３つの色成分の表示データのそれぞれを前記所定の周期×３の周期で同時にサンプリングする際に、前記駆動クロックの立ち上がりエッジに対応するタイミングと立ち下がりエッジに対応するタイミングで交互にサンプリングすることを特徴とする請求項１に記載のＬＣＤデータ転送システム。
【請求項３】
前記ＬＣＤモジュールと前記ＬＣＤコントローラとは、前記表示データを転送するための所定数のデータ信号と、前記所定の周期×２の周期の前記駆動クロックを転送するための第１のクロック信号を含む複数の信号で接続されており、
前記ＬＣＤモジュールは、前記保持手段と前記変換手段を含み、この変換手段は、前記駆動クロックの立ち上がりエッジと立ち下がりエッジの両方に対応するタイミングを示す第２のクロック信号を用いて、前記保持手段により保持された前記所定数の色成分の表示データを前記所定の周期×所定数の周期で同時にサンプリングすることを特徴とする請求項１または２に記載のＬＣＤデータ転送システム。
【請求項４】
前記シリアル転送手段は、前記所定数の色成分を含む表示データを、更に、各色成分のデータと同期信号を含む駆動信号とに分割して順番かつ所定の周期で周期的に転送し、
前記駆動クロック転送手段は、立ち上がりエッジと立ち下がりエッジで、前記各色成分のデータと同期信号を含む駆動信号とをそれぞれサンプリングするための駆動クロックを転送し、
前記保持手段は、前記シリアル転送手段により転送された各色成分のデータと同期信号を含む駆動信号をサンプリングして同時に保持し、
前記変換手段は、前記保持手段により保持された各色成分のデータと同期信号を含む駆動信号を前記所定の周期×所定数の周期で同時にサンプリングすることで、前記シリアル転送手段によりシリアル転送された表示データから、前記同期信号を含む駆動信号をデコードすることを特徴とする請求項１乃至３のいずれかに記載のＬＣＤデータ転送システム。
【請求項５】
前記ＬＣＤモジュールは、第１のＬＣＤモジュールと第２のＬＣＤモジュールとで構成され、
前記シリアル転送手段は、前記所定数の色成分を含む表示データを、前記第１のＬＣＤモジュールに対する各色成分のデータと前記第２のＬＣＤモジュールに対する各色成分のデータとに分割して順番かつ所定の周期で周期的に転送し、
前記駆動クロック転送手段は、前記第１及び第２のＬＣＤモジュールの表示データのうちの一方は、前記駆動クロックの立ち上がりエッジでサンプリングし、他方は、前記駆動クロックの立ち下がりエッジでサンプリングするための駆動クロックを転送することを特徴とする請求項１乃至４のいずれかに記載のＬＣＤデータ転送システム。
【請求項６】
前記ＬＣＤコントローラは、前記第１及び第２のＬＣＤモジュールに対して別々に同期信号を含む駆動信号を供給することを特徴とする請求項５に記載のＬＣＤデータ転送システム。
【請求項７】
前記ＬＣＤコントローラは、前記第１及び第２のＬＣＤモジュールに対して共通に同期信号を含む駆動信号を供給することを特徴とする請求項５に記載のＬＣＤデータ転送システム。
【請求項８】
前記表示データは、ＱＶＧＡの表示データであることを特徴とする請求項１乃至７のいずれかに記載のＬＣＤデータ転送システム。
【請求項９】
前記表示データは、ＶＧＡの表示データであることを特徴とする請求項１乃至７のいずれかに記載のＬＣＤデータ転送システム。
【発明の詳細な説明】
【技術分野】
【０００１】
本発明は、ＬＣＤ（Ｌｉｑｕｉｄ  Ｃｒｙｓｔａｌ  Ｄｉｓｐｌａｙ）モジュールとＬＣＤモジュールを駆動するＬＣＤコントローラからなるＬＣＤデータ転送システムに関する。
【背景技術】
【０００２】
ＬＣＤデータ転送システムは、ＬＣＤコントローラと、ＬＣＤモジュールとから構成される。ＬＣＤコントローラは、例えば特許文献１に示すように、画像データと、水平及び垂直同期信号と、駆動クロックをＬＣＤモジュールに送る。
【０００３】
ここで、近年、ＬＣＤモジュールの画素数が増大している。例えば、ディジタルカメラに配設されるＬＣＤモジュールとしては、従来、ＱＶＧＡ（Ｑｕａｒｔｅｒ  ＶＧＡ（Ｖｉｄｅｏ  Ｇｒａｐｈｉｃｓ  Ａｒｒａｙ））の画面であったが、近年、ＶＧＡ（Ｖｉｄｅｏ  Ｇｒａｐｈｉｃｓ  Ａｒｒａｙ）サイズのＬＣＤモジュールを搭載したものが要望されている。これに伴い、駆動クロックの周波数が上昇している。また、駆動クロックの周波数を下げるために、Ｒ（赤）Ｇ（緑）Ｂ（青）の各色データをパラレル転送すると、ＬＣＤコントローラの端子数が増加し、小型化の障害となる。
【０００４】
図２３は、従来のＬＣＤデータ転送システムの一例を示すものである。図２３において、ＬＣＤコントローラ７０１とＬＣＤモジュール７０２との間は、垂直同期信号ＶＳＹＮＣ、水平同期信号ＨＳＹＮＣ、駆動クロックＬＣＬＫ、８ビットの表示データＤＡＴＡ、ＣＳ信号、ＳＣＫ信号、ＤＴ信号が送られる。ここで、表示データＤＡＴＡは、ＲＧＢの各色のデータが８ビット［７：０］でシリアル転送される。
【０００５】
図２４は、従来のＬＣＤデータ転送システムのメモリマップと、スクリーンと、ＬＣＤ画面の概要を示すものである。図２４に示すように、（３２０×２４０）のＱＶＧＡ画面を想定すると、ＲＧＢで、（９６０×２４０）の色データが送られる。表示レートは、例えば５４．７０フィールド／秒で、色データのクロック周波数は１３．５ＭＨｚとなり、駆動クロックＬＣＬＫは、これに等しい１３．５ＭＨｚのクロックである。
【０００６】
図２５に示すように、ＬＣＤモジュール７０２では、駆動クロックＬＣＬＫの立ち上がりで、表示データＤＡＴＡをサンプリングする。これにより、１サンプルごとに、Ｒ、Ｇ、Ｂの各色のデータが取得できる。
【０００７】
図２６は、従来のＬＣＤデータ転送システムの他の例を示すものである。この例では、ＬＣＤコントローラ８０１とＬＣＤモジュール８０２との間で、ＲＧＢの各色のデータをパラレルで転送するようにしている。このため、ＲＤＡＴＡの端子と、ＧＤＡＴＡの端子と、ＢＤＡＴＡの端子とが必要になり、端子数が増加する。しかしながら、ＲＧＢの各色のデータをパラレルで転送するため、駆動クロックＬＣＬＫの周波数を下げることができる。
【０００８】
図２７は、従来のＬＣＤデータ転送システムの他の例のメモリマップと、スクリーンと、ＬＣＤ画面の概要を示すものである。図２７に示すように、（６４０×２４０）のＶＧＡ画面を想定すると、表示レートが例えば７９．５７フィールド／秒で、色データのクロック周波数は２７ＭＨｚとなる。
【０００９】
また、図２８に示すように、ＬＣＤモジュール８０２では、駆動クロックＬＣＬＫの立ち上がりで、表示データＤＡＴＡをサンプリングする。これにより、１サンプルごとに、Ｒ、Ｇ、Ｂの各色のデータがパラレルで取得できる。
【特許文献１】特開２００５−２６５９３９号公報
【発明の開示】
【発明が解決しようとする課題】
【００１０】
上述のように、従来のＬＣＤデータ転送システムでは、ＬＣＤモジュールの画素数が増大すると、駆動クロックが上昇するという問題がある。また、ＲＧＢの各色データをパラレル転送すると、ＬＣＤコントローラの端子数が増加するという問題が生じる。
【００１１】
そこで、本発明は、上述の課題に鑑みてなされたものであり、駆動クロックの周波数の下げることができると共に、端子数の削減を図れるようにしたＬＣＤデータ転送システムを提供することを目的とする。
【課題を解決するための手段】
【００１２】
本発明は、ＬＣＤモジュールと、前記ＬＣＤモジュールを駆動するＬＣＤコントローラからなるＬＣＤ駆動システムであって、所定数の色成分を含む表示データを色成分毎に分割し、この分割された各色成分の表示データを順番かつ所定の周期で周期的に転送するシリアル転送手段と、前記シリアル転送手段により分割して順番に転送される表示データを、立ち上がりエッジと立ち下がりエッジで交互にサンプリングするための駆動クロックであって、前記所定の周期×２の周期の駆動クロックを転送する駆動クロック転送手段と、前記シリアル転送手段により分割して転送された前記所定数の色成分の表示データを前記駆動クロック転送手段により転送された駆動クロックによりサンプリングするとともに、立ち上がりエッジでサンプリングされた前記所定数の色成分の表示データのタイミングを揃えるとともに、立ち下がりエッジでサンプリングされた前記所定数の色成分の表示データのタイミングを揃えて、少なくとも前記所定の周期×所定数の周期が到達するまでの間保持する保持手段と、前記シリアル転送手段により分割して転送され、前記保持手段により立ち上がりエッジでサンプリングされるとともにタイミングを揃えて保持された前記所定数の色成分の表示データと、立ち下がりエッジでサンプリングされるとともにタイミングを揃えて保持された前記所定数の色成分の表示データのそれぞれを前記所定の周期×所定数の周期で同時にサンプリングすることで、前記シリアル転送手段により色成分毎に分割して順番に転送された表示データを色成分毎に分割される前の表示データに変換する変換手段と、を備えることを特徴とする。
【００１３】
本発明は更に、前記表示データは、３つの色成分を含み、前記保持手段は、前記シリアル転送手段により転送された３つの色成分の表示データを、前記駆動クロックの立ち上がりエッジと立ち下がりエッジの両方を用いて、それぞれのエッジでサンプリングされる表示データのタイミングを揃えて、前記所定の周期×３の周期が到達するまでの間、同時に保持し、前記変換手段は、前記保持手段により立ち上がりエッジでサンプリングされるとともにタイミングを揃えて保持された前記３つの色成分の表示データと、立ち下がりエッジでサンプリングされるとともにタイミングを揃えて保持された前記３つの色成分の表示データのそれぞれを前記所定の周期×３の周期で同時にサンプリングする際に、前記駆動クロックの立ち上がりエッジに対応するタイミングと立ち下がりエッジに対応するタイミングで交互にサンプリングすることを特徴とする。
【００１４】
本発明は更に、前記ＬＣＤモジュールと前記ＬＣＤコントローラとは、前記表示データを転送するための所定数のデータ信号と、前記所定の周期×２の周期の前記駆動クロックを転送するための第１のクロック信号を含む複数の信号で接続されており、前記ＬＣＤモジュールは、前記保持手段と前記変換手段を含み、この変換手段は、前記駆動クロックの立ち上がりエッジと立ち下がりエッジの両方に対応するタイミングを示す第２のクロック信号を用いて、前記保持手段により保持された前記所定数の色成分の表示データを前記所定の周期×所定数の周期で同時にサンプリングすることを特徴とする。
【００１５】
また、本発明は更に、前記シリアル転送手段は、前記所定数の色成分を含む表示データを、更に、各色成分のデータと同期信号を含む駆動信号とに分割して順番かつ所定の周期で周期的に転送し、前記駆動クロック転送手段は、立ち上がりエッジと立ち下がりエッジで、前記各色成分のデータと同期信号を含む駆動信号とをそれぞれサンプリングするための駆動クロックを転送し、前記保持手段は、前記シリアル転送手段により転送された各色成分のデータと同期信号を含む駆動信号をサンプリングして同時に保持し、前記変換手段は、前記保持手段により保持された各色成分のデータと同期信号を含む駆動信号を前記所定の周期×所定数の周期で同時にサンプリングすることで、前記シリアル転送手段によりシリアル転送された表示データから、前記同期信号を含む駆動信号をデコードすることを特徴とする。
【００１６】
また、本発明は更に、前記ＬＣＤモジュールは、第１のＬＣＤモジュールと第２のＬＣＤモジュールとで構成され、前記シリアル転送手段は、前記所定数の色成分を含む表示データを、前記第１のＬＣＤモジュールに対する各色成分のデータと前記第２のＬＣＤモジュールに対する各色成分のデータとに分割して順番かつ所定の周期で周期的に転送し、前記駆動クロック転送手段は、前記第１及び第２のＬＣＤモジュールの表示データのうちの一方は、前記駆動クロックの立ち上がりエッジでサンプリングし、他方は、前記駆動クロックの立ち下がりエッジでサンプリングするための駆動クロックを転送することを特徴とする。
【００１７】
また、本発明は更に、前記ＬＣＤコントローラは、前記第１及び第２のＬＣＤモジュールに対して別々に同期信号を含む駆動信号を供給することを特徴とする。
また、本発明は更に、前記ＬＣＤコントローラは、前記第１及び第２のＬＣＤモジュールに対して共通に同期信号を含む駆動信号を供給することを特徴とする。
また、本発明は更に、前記表示データは、ＱＶＧＡの表示データであることを特徴とする。
また、本発明は更に、前記表示データは、ＶＧＡの表示データであることを特徴とする。
【発明の効果】
【００２０】
本発明によれば、駆動クロックの周波数を表示データを同期化したクロックの１／２の周波数とし、駆動クロックの立ち上がりと立ち下がりの両エッジでサンプリングを行っているので、駆動クロック周波数を下げることができると共に、端子数を削減することができるという効果がある。
【発明を実施するための最良の形態】
【００２１】
以下、本発明の実施の形態について図面を参照しながら説明する。なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２２】
＜第１の実施形態＞
図１は、本発明の第１の実施形態のＬＣＤデータ転送システムを示すものである。
本実施形態では、駆動クロックの両エッジによるデータサンプリングを行うことで、駆動クロックの周波数が１／２になるようにしている。
【００２３】
図１において、ＬＣＤコントローラ１０１からＬＣＤモジュール１０２に対して、垂直同期信号ＶＳＹＮＣ、水平同期信号ＨＳＹＮＣ、駆動クロックＬＣＬＫ、８ビットの表示データＤＡＴＡ、ＣＳ信号、ＳＣＫ信号、ＤＴ信号が送られる。ここで、表示データＤＡＴＡは、ＲＧＢの各色のデータが８ビット［７：０］でシリアル転送される。駆動クロックＬＣＬＫは、ＬＣＤコントローラ１０１が、この表示データＤＡＴＡをシリアル転送するために用いる送出クロックの１／２の周波数となっている。
【００２４】
図２は、本実施形態のＬＣＤ駆動システムのメモリマップと、スクリーンと、ＬＣＤ画面の概要を示すものである。
図２に示すように、（３２０×２４０）のＱＶＧＡ画面を想定すると、ＲＧＢで（９６０×２４０）の色データが送られる。表示レートは、例えば５４．７０フィールド／秒で、表示データのクロック周波数は１３．５ＭＨｚとなる。例えば、表示データＤＡＴＡのクロック周波数が１３．５ＭＨｚであるのに対して、駆動クロックＬＣＬＫは６．７５ＭＨｚである。
【００２５】
ＬＣＤモジュール１０２では、このように１３．５ＭＨｚの周波数のクロックで送出された８ビットシリアルの各色の表示データに対して、その１／２の周波数の６．７５ＭＨｚの駆動クロックＬＣＬＫの両エッジでサンプリングを行い、１３．５ＭＨｚの１／３の周波数の４．５ＭＨｚのクロックでシリアルパラレル変換することで、ＲＧＢ各色のパラレルの表示データを得るようにしている。
【００２６】
図３は、駆動クロックＬＣＬＫの両エッジでサンプリングを行い、シリアル転送される表示データ周波数の３倍の周期でシリアルパラレル変換するための具体例を示す。
図３において、レジスタ１１ａは、駆動クロックＬＣＬＫの立ち上がりで、表示データＤＡＴＡをサンプリングする。レジスタ１１ｂは、駆動クロックＬＣＬＫの立ち下がりで、表示データＤＡＴＡをサンプリングする。
【００２７】
レジスタ１２ａはレジスタ１１ａの出力を１クロック遅延させ、レジスタ１３ａはレジスタ１２ａの出力をさらに１クロック遅延させる。
【００２８】
レジスタ１２ｂはレジスタ１１ｂの出力を１クロック遅延させ、レジスタ１３ｂはレジスタ１２ｂの出力をさらに１クロック遅延させる。
【００２９】
セレクタ１５ａは、レジスタ１１ａの出力とレジスタ１１ｂの出力とを選択して、レジスタ１６ａに出力する。セレクタ１５ｂは、レジスタ１２ａの出力とレジスタ１２ｂの出力とを選択して、レジスタ１６ｂに出力する。セレクタ１５ｃは、レジスタ１３ａの出力とレジスタ１３ｂの出力とを選択して、レジスタ１６ｂに出力する。
【００３０】
レジスタ１６ａは、クロックＬＣＬＫ２でセレクタ１５ａの出力をサンプリングする。レジスタ１６ｂは、クロックＬＣＬＫ２でセレクタ１５ｂの出力をサンプリングする。レジスタ１６ｃはクロックＬＣＬＫ２でセレクタ１５ｃの出力をサンプリングする。
【００３１】
図４は、各部のタイミング図である。
図４（Ａ）が表示データの送出クロックＣＬＫであり、図４（Ｂ）が表示データＤＡＴＡである。ここでは、送出クロックＣＬＫの周波数は１３．５ＭＨｚである。表示データは、８ビットであり、赤色のデータＲ１、Ｒ２、Ｒ３、…、緑色Ｇ１、Ｇ２、Ｇ３、…、青色Ｂ１、Ｂ２、Ｂ３、…の各色のデータがシリアル転送され、Ｒ１、Ｇ１、Ｂ１、Ｒ２、Ｇ２、Ｂ２、…の順に入力される。図４（Ｃ）に示すように、駆動クロックＬＣＬＫは、送出クロックＣＬＫの１／２の周波数であり、ここでは、６．７５ＭＨｚである。
【００３２】
レジスタ１１ａにより、図４（Ｄ）に示すように、駆動クロックＬＣＬＫの立ち上がりで、表示データがサンプリングされる。また、レジスタ１１ｂにより、図４（Ｅ）に示すように、駆動クロックＬＣＬＫの立ち下がりで、表示データがサンプリングされる。
【００３３】
レジスタ１１ａの出力は、図４（Ｆ）に示すように、レジスタ１２ａで１クロック遅延され、図４（Ｈ）に示すように、レジスタ１３ａでさらに１クロック遅延される。レジスタ１１ｂの出力は、図４（Ｇ）に示すように、レジスタ１２ｂで１クロック遅延され、図４（Ｉ）に示すように、レジスタ１３ｂでさらに１クロック遅延される。
【００３４】
クロックＬＣＫ２は、シリアルの色データをパラレルの色データに変換するクロックで、図４（Ｊ）に示すように、表示データの送出クロックＣＬＫの１／３の周波数のクロックである。ここでは、クロックＬＣＫ２は、４．５ＭＨｚ（表示データ周波数１３．５ＭＨｚの１／３）である。
【００３５】
レジスタ１１ａの出力（図４（Ｄ））とレジスタ１１ｂの出力（図４（Ｅ））とは、セレクタ１５ａで交互に選択される。これにより、図４（Ｋ）に示すように、レジスタ１１ａからは、赤色のデータＲ１、Ｒ２、Ｒ３、…が出力される。
【００３６】
レジスタ１２ａの出力（図４（Ｆ））とレジスタ１２ｂの出力（図４（Ｇ））とは、セレクタ１５ｂで交互に選択される。これにより、図４（Ｌ）に示すように、レジスタ１１ｂからは、緑色のデータＧ１、Ｇ２、Ｇ３、…が出力される。
【００３７】
レジスタ１３ａの出力（図４（Ｈ））とレジスタ１３ｂの出力（図４（Ｉ））とは、セレクタ１５ｃで交互に選択される。これにより、図４（Ｌ）に示すように、レジスタ１１ｂからは、緑色のデータＢ１、Ｂ２、Ｂ３、…が出力される。
【００３８】
このように、本実施形態では、駆動クロックＬＣＬＫの周波数を、８ビットシリアルの各色の表示データを同期化したクロックの１／２とし、駆動クロックＬＣＬＫの両エッジでサンプリングを行い、シリアル転送される表示データ周波数の１／３の周波数でシリアルパラレル変換することで、ＲＧＢ各色がパラレルの表示データを得ることができ、駆動クロック周波数の低減と、端子数の削減を図ることができる。
【００３９】
＜第２の実施形態＞
図５は、本実施形態のＬＣＤデータ転送システムを示すものである。
本実施形態では、前述の第１の実施形態と同様に、ＬＣＤコントローラ２０１とＬＣＤモジュール２０２との間は、垂直同期信号ＶＳＹＮＣ、水平同期信号ＨＳＹＮＣ、駆動クロックＬＣＬＫ、８ビットの表示データＤＡＴＡ、ＣＳ信号、ＳＣＫ信号、ＤＴ信号が送られる。表示データＤＡＴＡは、ＲＧＢの各色のデータが８ビット［７：０］でシリアル転送される。駆動クロックＬＣＬＫは、この表示データＤＡＴＡをシリアル転送するために同期化したクロックの１／２の周波数となっている。
【００４０】
図６は、本実施形態のＬＣＤ駆動システムのメモリマップと、スクリーンと、ＬＣＤ画面の概要を示すものである。
【００４１】
図６に示すように、（６４０×４８０）のＶＧＡ画面を想定すると、ＲＧＢで、（１９２０×４８０）の色データが送られる。表示レートは、例えば５６．４７フィールド／秒で、表示データのクロック周波数は５４ＭＨｚとなる。例えば、表示データＤＡＴＡのクロック周波数が５４ＭＨｚであるのに対して、駆動クロックＬＣＬＫは２７ＭＨｚである。
【００４２】
駆動クロックＬＣＬＫの両エッジでサンプリングを行い、シリアル転送される表示データ周波数の１／３の周波数でシリアルパラレル変換するための構成については、前述の第１の実施形態と同様である。図７は、各部のタイミング図である。各部の動作については、前述の第１の実施形態と同様であるので、説明を省略する。
【００４３】
本実施形態では、ＲＧＢの各色のデータをシリアル転送しているため、図２６に示した従来例に比べて、端子数が（８×２＝１６）削減できる。
【００４４】
＜第３の実施形態＞
図８は、本実施形態を示すものである。
本実施形態では、ＬＣＤコントローラ３０１とＬＣＤモジュール３０２との間において、表示データＤＡＴＡとして、各色のデータを上位ビットと下位ビットとに分けて、シリアル転送し、駆動クロックＬＣＬＫの立ち上がりで、各色のデータの上位ビットをサンプリングし、駆動クロックＬＣＬＫの立ち下がりで各色のデータの下位ビットをサンプリングするようにしている。
【００４５】
図９に示すように、（３２０×２４０）のＱＶＧＡ画面を想定すると、ＲＧＢで、（９６０×２４０）の色データが送られる。表示レートは、例えば５４．７０フィールド／秒で、表示データのクロック周波数は、上位ビットと下位ビットに分けているので、２７ＭＨｚとなる。例えば、上位ビットと下位ビットとに分けて表示データＤＡＴＡをシリアル転送するために同期化したクロックの周波数が２７ＭＨｚであるのに対して、駆動クロックＬＣＬＫは１３．５Ｈｚである。
【００４６】
図１０は、駆動クロックＬＣＬＫの立ち上がりで、各色のデータの上位ビットをサンプリングし、駆動クロックＬＣＬＫの立ち下がりで各色のデータの下位ビットをサンプリングするための具体例を示すものである。
図１０において、レジスタ３１ａは、駆動クロックＬＣＬＫの立ち上がりで、入力表示データＤＡＴＡをサンプリングし、レジスタ３１ｂは、駆動クロックＬＣＬＫの立ち下がりで、入力表示データＤＡＴＡをサンプリングする。レジスタ３１ａ及び３１ｂの出力は、駆動クロックＬＣＬＫ２によりレジスタ３２に取り込まれ、上位ビットのデータと下位ビットのデータとが合成される。
【００４７】
図１１は、各部のタイミング図である。
図１１（Ａ）が表示データの送出クロックＣＬＫであり、図１１（Ｂ）が表示データＤＡＴＡである。各色のデータは、８ビットのデータが上位４ビットのデータ（添え字Ｈのデータ）と下位４ビットのデータ（添え字Ｌのデータ）とに分けられて、入力される。図１１（Ｃ）に示すように、駆動クロックＬＣＬＫの周波数は、１３．５ＭＨｚである。
【００４８】
レジスタ３１ａにより、図１１（Ｄ）に示すように、駆動クロックＬＣＬＫの立ち上がりで、上位ビットのデータがサンプリングされる。また、レジスタ３１ｂにより、図１１（Ｅ）に示すように、駆動クロックＬＣＬＫの立ち下がりで、下位ビットのデータがサンプリングされる。レジスタ３１ａの出力（図１１（Ｄ））とレジスタ３１ｂの出力（図１１（Ｅ））とは、図１３（Ｆ）に示すように、クロックＬＣＬＫ２（図１１（Ｇ））で、レジスタ３２に取り込まれ、駆動データが上位ビットのデータと下位ビットのデータとが合成される。
【００４９】
なお、上述の例では、駆動クロックＬＣＬＫの立ち上がりで、各色のデータの上位ビットをサンプリングし、駆動クロックＬＣＬＫの立ち下がりで各色のデータの下位ビットをサンプリングしているが、駆動クロックＬＣＬＫの立ち上がりで、各色のデータの下位ビットをサンプリングし、駆動クロックＬＣＬＫの立ち下がりで各色のデータの上位ビットをサンプリングするように構成してもよい。
【００５０】
以上説明したように、本実施形態では、駆動クロックＬＣＬＫの立ち上がりで、各色のデータの上位ビットをサンプリングし、駆動クロックＬＣＬＫの立ち下がりで各色のデータの下位ビットをサンプリングしているので、駆動クロックの周波数を増大や、端子数を増大させることなく、色データのビット数を増加させることができる。
【００５１】
＜第４の実施形態＞
図１２は、本実施形態のＬＣＤデータ転送システムを示すものである。
本実施形態では、ＬＣＤコントローラ４０１とＬＣＤモジュール４０２との間において、表示データＤＡＴＡ中に、各色のデータと共に、垂直同期信号ＶＳＹＮＣ、水平同期信号ＨＳＹＮＣ、ＣＳ信号、ＳＣＫ信号、ＤＴ信号を含めて送るようにしている。そして、駆動クロックＬＣＬＫの立ち上がりで、各色のデータをサンプリングし、駆動クロックＬＣＬＫの立ち下がりで、垂直同期信号ＶＳＹＮＣ、水平同期信号ＨＳＹＮＣ、ＣＳ信号、ＳＣＫ信号、ＤＴ信号等を駆動信号としてサンプリングするようにしている。
【００５２】
図１３は、本実施形態のＬＣＤ駆動システムのメモリマップと、スクリーンと、ＬＣＤ画面の概要を示すものである。
図１３に示すように、（３２０×２４０）のＱＶＧＡ画面を想定すると、ＲＧＢで、（９６０×２４０）の色データが送られる。表示レートは、例えば５４．７０フィールド／秒で、表示データのクロック周波数は２７ＭＨｚとなる。例えば、垂直同期信号ＶＳＹＮＣ、水平同期信号ＨＳＹＮＣ、ＣＳ信号、ＳＣＫ信号、ＤＴ信号等を駆動信号含めた表示データＤＡＴＡを同期化したクロック周波数が２７ＭＨｚであるのに対して、駆動クロックＬＣＬＫは１３．５ＭＨｚである。
【００５３】
図１４は、駆動クロックＬＣＬＫの立ち上がりで、各色のデータをサンプリングし、駆動クロックＬＣＬＫの立ち下がりで、垂直同期信号ＶＳＹＮＣ、水平同期信号ＨＳＹＮＣ、ＣＳ信号、ＳＣＫ信号、ＤＴ信号等を駆動信号としてサンプリングするための具体例を示すものである。
図１４において、レジスタ４１ａは、駆動クロックＬＣＬＫの立ち上がりで、入力表示データＤＡＴＡをサンプリングし、レジスタ４１ｂは、駆動クロックＬＣＬＫの立ち下がりで、入力表示データＤＡＴＡをサンプリングする。レジスタ４１ｂの出力信号は、デコーダ４２に取り込まれる。デコーダ４２は、駆動クロックＬＣＬＫの立ち下がりのタイミングで、垂直同期信号ＶＳＹＮＣ、水平同期信号ＨＳＹＮＣ、ＣＳ信号、ＳＣＫ信号、ＤＴ信号等の駆動信号をデコードして出力する。
【００５４】
図１５は、各部のタイミング図である。
図１５（Ａ）が表示データの送出クロックＣＬＫであり、図１５（Ｂ）が表示データＤＡＴＡである。表示データＤＡＴＡとしては、各色のデータが駆動クロックＬＣＬＫの立ち上がりで各色のデータＲ１、Ｇ１、Ｂ１、…が転送され、垂直同期信号ＶＳＹＮＣ、水平同期信号ＨＳＹＮＣ、ＣＳ信号、ＳＣＫ信号、ＤＴ信号等の駆動信号（ＩＦ１、ＩＦ２、…）がその立ち下がりで転送される。
【００５５】
レジスタ４１ａにより、図１５（Ｄ）に示すように、駆動クロックＬＣＬＫの立ち上がりで、各色のデータがサンプリングされる。また、レジスタ４１ｂにより、駆動クロックＬＣＬＫの立ち下がりで、駆動信号（ＩＦ１、ＩＦ２、…）がサンプリングされる。この駆動信号から、図１５（Ｅ）〜図１５（Ｉ）に示すように、垂直同期信号ＶＳＹＮＣ、水平同期信号ＨＳＹＮＣ、ＣＳ信号、ＳＣＫ信号、ＤＴ信号がデコードされる。
【００５６】
なお、上述の実施形態では、駆動クロックＬＣＬＫの立ち上がりで、各色のデータをサンプリングし、駆動クロックＬＣＬＫの立ち下がりで、垂直同期信号ＶＳＹＮＣ、水平同期信号ＨＳＹＮＣ、ＣＳ信号、ＳＣＫ信号、ＤＴ信号等を駆動信号としてサンプリングしているが、駆動クロックＬＣＬＫの立ち上がりで、垂直同期信号ＶＳＹＮＣ、水平同期信号ＨＳＹＮＣ、ＣＳ信号、ＳＣＫ信号、ＤＴ信号等を駆動信号としてサンプリングし、駆動クロックＬＣＬＫの立ち下がりで、各色のデータをサンプリングするようにしてもよい。
【００５７】
本実施形態では、表示データＤＡＴＡ中に、各色のデータと共に、垂直同期信号ＶＳＹＮＣ、水平同期信号ＨＳＹＮＣ、ＣＳ信号、ＳＣＫ信号、ＤＴ信号を含めて送るようにし、駆動クロックＬＣＬＫの立ち上がりで、各色のデータをサンプリングし、駆動クロックＬＣＬＫの立ち下がりで、垂直同期信号ＶＳＹＮＣ、水平同期信号ＨＳＹＮＣ、ＣＳ信号、ＳＣＫ信号、ＤＴ信号等を駆動信号としてサンプリングするようにしている。このため、端子数の削減を図ることができる。また、この例では、図１２に示すように、ＬＣＤコントローラ４０１の端子を、駆動クロックＬＣＬＫの端子と、表示データＤＡＴＡの端子だけとすることができる。
【００５８】
＜第５の実施形態＞
図１６は、本実施形態を示すものである。
本実施形態では、１つのＬＣＤコントローラ５０１に対して、２つのＬＣＤモジュール５０２ａ及び５０２ｂを接続するようにしている。そして、ＬＣＤモジュール５０２ａとＬＣＤモジュール５０２ｂとに対して共通に、表示データＤＡＴＡと、駆動クロックＬＣＬＫと、ＳＣＫ信号とＤＴ信号とを送り、駆動クロックＬＣＬＫの立ち上がりで、ＬＣＤモジュール５０２ａに対する各色のデータをサンプリングし、駆動クロックＬＣＬＫの立ち下がりで、ＬＣＤモジュール５０２ｂに対する各色のデータをサンプリングするようにしている。
【００５９】
図１７は、本実施形態のＬＣＤ駆動システムのメモリマップと、スクリーンと、ＬＣＤ画面の概要を示すものである。
図１７に示すように、各ＬＣＤモジュールを（３２０×２４０）のＱＶＧＡ画面と想定すると、ＲＧＢで、（９６０×２４０）の色データが送られる。表示レートは、例えば５４．７０フィールド／秒で、表示データのクロック周波数は２７ＭＨｚとなる。例えば、２つのＬＣＤモジュール分のデータを送るので、表示データＤＡＴＡを同期化したクロック周波数は２７ＭＨｚになる。これに対して、駆動クロックＬＣＬＫは、その１／２の周波数の１３．５ＭＨｚである。
【００６０】
図１８は、各ＬＣＤモジュールにおいて、各色のデータをサンプリングするための具体例を示すものである。図１８において、ＬＣＤモジュール５０２ａのレジスタ５１ａは、駆動クロックＬＣＬＫの立ち上がりで、入力表示データＤＡＴＡをサンプリングし、ＬＣＤモジュール５０２ｂのレジスタ５１ｂは、駆動クロックＬＣＬＫの立ち上がりで、入力表示データＤＡＴＡをサンプリングする。なお、この例では、垂直同期信号ＶＳＹＮＣ、水平同期信号ＨＳＹＮＣ、ＣＳ信号は、ＬＣＤモジュール５０２ａとＬＣＤモジュール５０２ｂとで別々に送るようにしている。
【００６１】
図１９は、各部のタイミング図である。
図１９（Ａ）が表示データの送出クロックＣＬＫであり、図１９（Ｂ）が表示データＤＡＴＡである。表示データＤＡＴＡとしては、ＬＣＤモジュール５０２ａに対する各色のデータが駆動クロックＬＣＬＫの立ち上がりで転送され、ＬＣＤモジュール５０２ｂに対する各色のデータが駆動クロックＬＣＬＫの立ち下がりで転送される。
【００６２】
ＬＣＤモジュール５０２ａのレジスタ５１ａにより、図１９（Ｄ）に示すように、駆動クロックＬＣＬＫの立ち上がりで、ＬＣＤモジュール５０２ａに対する各色のデータがサンプリングされる。また、ＬＣＤモジュール５０２ｂのレジスタ５１ｂにより、図１９（Ｅ）に示すように、駆動クロックＬＣＬＫの立ち下がり、ＬＣＤモジュール５０２ｂに対する各色のデータがサンプリングされる。また、ＬＣＤモジュール５０２ａ及びＬＣＤモジュール５０２ａに対して、図１９（Ｆ）及び図１９（Ｇ）に示すように、水平同期信号ＨＳＹＮＣが送られる。
【００６３】
ＬＣＤモジュール５０２ａは、図１９（Ｈ）に示すような、クロックＬＣＬＫ１で駆動される。ＬＣＤモジュール５０２ａは、図１９（Ｉ）に示すような、１３．５ＭＨｚのクロックＬＣＬＫ２で駆動される。
【００６４】
なお、この実施形態では、駆動クロックＬＣＬＫの立ち上がりで、ＬＣＤモジュール５０２ａに対する各色のデータをサンプリングし、駆動クロックＬＣＬＫの立ち下がりで、ＬＣＤモジュール５０２ｂに対する各色のデータをサンプリングしているが、駆動クロックＬＣＬＫの立ち上がりで、ＬＣＤモジュール５０２ｂに対する各色のデータをサンプリングし、駆動クロックＬＣＬＫの立ち下がりで、ＬＣＤモジュール５０２ａに対する各色のデータをサンプリングするようにしてもよい。
【００６５】
本実施形態では、１つのＬＣＤコントローラ５０１で、２つのＬＣＤモジュール５０２ａ及び５０２ｂを独立して駆動することができる。また、各ＬＣＤモジュール５０２ａ及び５０２ｂは、クロックの立ち上がりでデータをサンプリングするか、クロックの立ち下がりでデータをサンプリングするかを決められる機能を設けておけば、全く同様に構成できる。又は、一方のＬＣＤモジュールの駆動クロックＬＣＬＫの入力端子にインバータを設けておくようにしてもよい。
【００６６】
＜第６の実施形態＞
図２０は、本実施形態を示すものである。
本実施形態では、ＬＣＤコントローラ６０１に対して、２つのＬＣＤモジュール６０２ａ及び６０２ｂを接続するようにしている。そして、ＬＣＤモジュール６０２ａとＬＣＤモジュール６０２ｂとに対して共通に、表示データＤＡＴＡと駆動クロックＬＣＬＫとを送り、駆動クロックＬＣＬＫの立ち上がりで、ＬＣＤモジュール６０２ａに対する各色のデータをサンプリングし、駆動クロックＬＣＬＫの立ち下がりで、ＬＣＤモジュール６０２ｂに対する各色のデータをサンプリングするようにしている。
【００６７】
さらに、この実施形態では、垂直同期信号ＶＳＹＮＣ、水平同期信号ＨＳＹＮＣ、ＣＳ信号、ＳＣＫ信号、ＤＴ信号を、ＬＣＤモジュール５０２ａとＬＣＤモジュール５０２ｂとに対して共通に送るようにしている。
【００６８】
図２１は、本実施形態のＬＣＤ駆動システムのメモリマップと、スクリーンと、ＬＣＤ画面の概要を示すものである。
図２１に示すように、（３２０×２４０）のＱＶＧＡ画面を想定すると、ＲＧＢで、（９６０×２４０）の色データが送られる。表示レートは、例えば５４．７０フィールド／秒で、表示データのクロック周波数は２７ＭＨｚとなる。例えば、表示データＤＡＴＡを同期化したクロック周波数が２７ＭＨｚであるのに対して、駆動クロックＬＣＬＫは１３．５ＭＨｚである。
【００６９】
駆動クロックＬＣＬＫの立ち上がりで、ＬＣＤモジュール６０２ａに対する各色のデータをサンプリングし、駆動クロックＬＣＬＫの立ち下がりで、ＬＣＤモジュール６０２ｂに対する各色のデータをサンプリングするための構成については、前述の第５の実施形態と同様である。また、図２２は、各部のタイミング図である。その動作は、前述の第５の実施形態と同様であるので、その説明は省略する。
【００７０】
本実施形態では、前述の第５の実施形態と同様に、１つのＬＣＤコントローラ５０１で、２つのＬＣＤモジュール５０２ａ及び５０２ｂを独立して駆動することができる。また、各ＬＣＤモジュール５０２ａ及び５０２ｂは、クロックの立ち上がりでデータをサンプリングするか、クロックの立ち下がりでデータをサンプリングするかを決められる機能を設けておけば、全く同様に構成できる。又は、一方のＬＣＤモジュールの駆動クロックＬＣＬＫの入力端子にインバータを設けておくようにしてもよい。本実施形態では、垂直同期信号ＶＳＹＮＣと水平同期信号ＨＳＹＮＣが共通であるため、ＬＣＤモジュール５０２ａの画面とＬＣＤモジュール５０２ｂの画面とを完全に同期させることができる。
【００７１】
本発明は、上述した実施形態に限定されるものではなく、本発明の要旨を逸脱しない範囲内で様々な変形や応用が可能である。
【図面の簡単な説明】
【００７２】
【図１】本発明の第１の実施形態のＬＣＤ駆動システムを示すブロック図である。
【図２】本発明の第１の実施形態のＬＣＤ駆動システムのメモリマップと、スクリーンと、ＬＣＤ画面の概要を示す説明図である。
【図３】本発明の第１の実施形態のＬＣＤ駆動システムの説明に用いるブロック図である。
【図４】本発明の第１の実施形態のＬＣＤ駆動システムの説明に用いるタイミング図である。
【図５】本発明の第２の実施形態のＬＣＤ駆動システムを示すブロック図である。
【図６】本発明の第２の実施形態のＬＣＤ駆動システムのメモリマップと、スクリーンと、ＬＣＤ画面の概要を示す説明図である。
【図７】本発明の第２の実施形態のＬＣＤ駆動システムの説明に用いるタイミング図である。
【図８】本発明の第３の実施形態のＬＣＤ駆動システムを示すブロック図である。
【図９】本発明の第３の実施形態のＬＣＤ駆動システムのメモリマップと、スクリーンと、ＬＣＤ画面の概要を示す説明図である。
【図１０】本発明の第３の実施形態のＬＣＤ駆動システムの説明に用いるブロック図である。
【図１１】本発明の第３の実施形態のＬＣＤ駆動システムの説明に用いるタイミング図である。
【図１２】本発明の第４の実施形態のＬＣＤ駆動システムを示すブロック図である。
【図１３】本発明の第４の実施形態のＬＣＤ駆動システムのメモリマップと、スクリーンと、ＬＣＤ画面の概要を示す説明図である。
【図１４】本発明の第４の実施形態のＬＣＤ駆動システムの説明に用いるブロック図である。
【図１５】本発明の第４の実施形態のＬＣＤ駆動システムの説明に用いるタイミング図である。
【図１６】本発明の第５の実施形態のＬＣＤ駆動システムを示すブロック図である。
【図１７】本発明の第５の実施形態のＬＣＤ駆動システムのメモリマップと、スクリーンと、ＬＣＤ画面の概要を示す説明図である。
【図１８】本発明の第５の実施形態のＬＣＤ駆動システムの説明に用いるブロック図である。
【図１９】本発明の第５の実施形態のＬＣＤ駆動システムの説明に用いるタイミング図である。
【図２０】本発明の第６の実施形態のＬＣＤ駆動システムを示すブロック図である。
【図２１】本発明の第６の実施形態のＬＣＤ駆動システムのメモリマップと、スクリーンと、ＬＣＤ画面の概要を示す説明図である。
【図２２】本発明の第５の実施形態のＬＣＤ駆動システムの説明に用いるタイミング図である。
【図２３】従来のＬＣＤ駆動システムの一例を示すブロック図である。
【図２４】従来のＬＣＤ駆動システムの一例のメモリマップと、スクリーンと、ＬＣＤ画面の概要を示す説明図である。
【図２５】従来のＬＣＤ駆動システムの一例の説明に用いるタイミング図である。
【図２６】従来のＬＣＤ駆動システムの他の例を示すブロック図である。
【図２７】従来のＬＣＤ駆動システムの他の例のメモリマップと、スクリーンと、ＬＣＤ画面の概要を示す説明図である。
【図２８】従来のＬＣＤ駆動システムの他の例の説明に用いるタイミング図である。
【符号の説明】
【００７３】
１０１、２０１、３０１、４０１、５０１、６０１、７０１、８０１・・・ＬＣＤコントローラ、１０２、２０２、３０２、４０２、５０２、６０２、７０２、８０２・・・ＬＣＤモジュール
【図１】
0005630889.tif 000002
【図２】
0005630889.tif 000003
【図３】
0005630889.tif 000004
【図４】
0005630889.tif 000005
【図５】
0005630889.tif 000006
【図６】
0005630889.tif 000007
【図７】
0005630889.tif 000008
【図８】
0005630889.tif 000009
【図９】
0005630889.tif 000010
【図１０】
0005630889.tif 000011
【図１１】
0005630889.tif 000012
【図１２】
0005630889.tif 000013
【図１３】
0005630889.tif 000014
【図１４】
0005630889.tif 000015
【図１５】
0005630889.tif 000016
【図１６】
0005630889.tif 000017
【図１７】
0005630889.tif 000018
【図１８】
0005630889.tif 000019
【図１９】
0005630889.tif 000020
【図２０】
0005630889.tif 000021
【図２１】
0005630889.tif 000022
【図２２】
0005630889.tif 000023
【図２３】
0005630889.tif 000024
【図２４】
0005630889.tif 000025
【図２５】
0005630889.tif 000026
【図２６】
0005630889.tif 000027
【図２７】
0005630889.tif 000028
【図２８】
0005630889.tif 000029